(57)【要約】【課題】美観が高められる美容シートを提供する。【解決手段】美容シート１は化粧料を保持する保持層３１と、保持層３１に積層される光沢層３３とを備える。【選択図】図２
2020010827.tif 000002
【特許請求の範囲】
【請求項１】
化粧料を保持する保持層と、
前記保持層に積層される光沢層とを備える
美容シート。
【請求項２】
前記光沢層のうちの前記保持層と反対側に積層される保護層をさらに備える
請求項１に記載の美容シート。
【請求項３】
前記保護層はエポキシ樹脂を含む
請求項２に記載の美容シート。
【請求項４】
前記保護層は着色剤を含む
請求項２または３に記載の美容シート。
【請求項５】
前記保護層の厚さは０．５μｍ〜７μｍの範囲に含まれる
請求項２〜４のいずれか一項に記載の美容シート。
【発明の詳細な説明】
【技術分野】
【０００１】
本発明は美容シートに関する。
【背景技術】
【０００２】
化粧料を含浸させた美容シートが知られている。例えば、特許文献１は美容シートの一例である美容フェイスマスクを開示している。この美容フェイスマスクは化粧料を含浸する含浸層、および、含浸層に積層される非含浸層を備えている。
【先行技術文献】
【特許文献】
【０００３】
【特許文献１】特開２０１０−２７５２２２号公報
【発明の概要】
【発明が解決しようとする課題】
【０００４】
上記美容フェイスマスクでは、美観については特に言及していない。
【課題を解決するための手段】
【０００５】
(１)本発明に関する美容シートは化粧料を保持する保持層と、前記保持層に積層される光沢層とを備える。
上記美容シートによれば、光沢層を備えるため、美観が高められる。
【０００６】
(２)好ましい例では(１)に記載の美容シートにおいて、前記光沢層のうちの前記保持層と反対側に積層される保護層をさらに備える。
このため、光沢層が劣化しにくい。
【０００７】
(３)好ましい例では(２)に記載の美容シートにおいて、前記保護層はエポキシ樹脂を含む。
保護層がエポキシ樹脂を含む場合、美容シートがごわつきにくいことが確認された。
【０００８】
(４)好ましい例では(２)または(３)に記載の美容シートにおいて、前記保護層は着色剤を含む。
このため、美観が一層高められる。
【０００９】
(５)好ましい例では(２)〜(４)のいずれか一項に記載の美容シートにおいて、前記保護層の厚さは０．５μｍ〜７μｍの範囲に含まれる。
保護層の厚さが上記範囲に含まれる場合、美容シートがごわつきにくいことが確認された。
【発明の効果】
【００１０】
本発明に関する美容シートによれば、美観が高められる。
【図面の簡単な説明】
【００１１】
【図１】実施形態の美容シートの正面図。
【図２】図１の美容シートの層構成を示す断面図。
【図３】実施例２の美容シートの層構成を示す断面図。
【図４】実施例３の美容シートの層構成を示す断面図。
【図５】実施例４の美容シートの層構成を示す断面図。
【図６】実施例５の美容シートの層構成を示す断面図。
【図７】実施例および比較例の試験結果を示す図。
【発明を実施するための形態】
【００１２】
(実施形態)
図１に示される美容シート１は保持層３１(図２参照)に含浸される美容成分を含む化粧料によってユーザの肌の手入れを行なうためのシートである。化粧料の一例は透明ローション、白濁ローション、乳液、および、クリームである。化粧料の状態は任意に選択できる。好ましい例では、化粧料の状態は液体またはペーストである。美容シート１の形態は任意に選択できる。図１に示される第１例では、美容シート１の形態はユーザの顔に貼り付けられるフェイスマスクである。第２例では、美容シート１の形態はユーザの身体のうちの顔以外の任意の箇所に貼り付けられるシートである。美容シート１の形状は任意に選択できる。図１に示される第１例では、美容シート１は上部１０と下部２０とに分かれた形状である。第２例では、美容シート１は上部１０と下部２０とが繋がった形状、または、３つ以上に分かれた形状である。
【００１３】
上部１０はユーザの顔のうちの鼻から額を覆う。上部１０は孔１１、および、複数のスリット１２を備える。孔１１はユーザの目に対応する形状である。スリット１２はユーザの鼻翼に対応する形状である。下部２０はユーザの顔のうちの人中および頬から顎を覆う。下部２０は孔２１、および、複数のスリット２２を備える。孔２１はユーザの口に対応する形状である。複数のスリット２２は美容シート１をユーザの顔に貼り付けたときに美容シート１のうちのフェイスラインに対応する部分にしわが形成されにくくするために設けられる。
【００１４】
従来の美容シートでは美観について特に考慮されていない。その理由の１つは美容シートの典型的な使用例であると考えられる。美容シートの典型的な使用例では、ユーザは室内等のプライベート空間で美容シートを肌に貼り付け、所定時間の経過後に美容シートを肌から剥がして捨てる。このように、美容シートはユーザのプライベート空間で一時的に使用されるものであるため、美観については特に考慮されていなかったと考えられる。美容シートがユーザのプライベート空間で一時的に使用されるものであっても美観が高められることにより、美容シートの付加価値が一層高くなると考えられる。美容シート１は美観が高められるように構成された美容シートの一例である。
【００１５】
図２に示されるように、美容シート１は保持層３１、中間層３２、光沢層３３、および、保護層３４が積層された４層構造を備える。保持層３１は化粧料を保持する。保持層３１を構成する材料は任意に選択できる。保持層３１を構成する材料は例えば、天然繊維、合成繊維、水溶性合成樹脂、および、含水性ゲルシートである。保持層３１の一方の面３１Ａはユーザの肌と接触する面である。なお、上部１０および下部２０の層構成は同一である。
【００１６】
中間層３２は保持層３１と光沢層３３とを接合する。中間層３２を構成する材料は任意に選択できる。中間層３２を構成する材料は例えば、押出ポリエチレンおよび接着材である。中間層３２は保持層３１の他方の面３１Ｂに積層される。中間層３２の厚さは任意に選択できる。中間層３２の厚さは例えば、５μｍ〜５０μｍの範囲に含まれる。一例では、中間層３２の厚さは１５μｍである。
【００１７】
光沢層３３は美観を高めることに寄与する。光沢層３３は中間層３２を介して保持層３１に積層される。光沢層３３を構成する材料は光沢を有する材料から任意に選択できる。光沢層３３を構成する材料は例えば、アルミニウム箔、アルミニウムペーストを含むインキ(銀インキ)、パール顔料を含むインキ、アルミニウム箔が蒸着された合成樹脂、および、スズが蒸着された合成樹脂である。アルミニウム箔が蒸着された合成樹脂、および、スズが蒸着された合成樹脂の一例はポリエチレンおよびポリエチレンテレフタレートである。光沢層３３の厚さは例えば、０．５μｍ〜３０μｍの範囲に含まれる。一例では、光沢層３３の厚さは７μｍである。
【００１８】
保護層３４は光沢層３３を保護する。このため、光沢層３３が劣化しにくい。保護層３４は光沢層３３のうちの保持層３１と反対側に積層される。保護層３４を構成する材料は任意に選択できる。保護層３４を構成する材料は例えば、エポキシ樹脂およびアクリル樹脂である。エポキシ樹脂の一例は、ビスフェノールＡ型エポキシ樹脂である。アクリル樹脂の一例は、ポリメタクリル酸メチル樹脂(ＰＭＭＡ)である。保護層３４がエポキシ樹脂を含む場合、美容シート１がユーザの肌に貼り付けられたときに、ごわつきにくい。好ましい例では、保護層３４を構成する材料は着色剤を含む。このため、美観が一層高められる。着色剤は例えば、顔料または染料である。顔料および染料の色の一例はピンクである。保護層３４の厚さは例えば、０．５μｍ〜７μｍの範囲に含まれる。保護層３４の厚さがこの範囲に含まれる場合、美容シート１がユーザの肌に貼り付けられたときに、ごわつきにくい。一例では、保護層３４の厚さは３μｍである。
【００１９】
美容シート１の製造方法の一例について説明する。美容シート１の製造方法は第１工程および第２工程を含む。第１工程では、光沢層３３に保護層３４が焼き付けコートされる。第２工程では、保護層３４が焼き付けコートされた光沢層３３と保持層３１とが中間層３２を介してラミネート加工される。中間層３２を構成する材料が押出ポリエチレンである場合、保護層３４が焼き付けコートされた光沢層３３と保持層３１とのラミネート法は押出しコートラミネート法である。中間層３２を構成する材料が接着剤である場合、保護層３４が焼き付けコートされた光沢層３３と保持層３１とのラミネート法はドライラミネート法である。
【００２０】
美容シート１によれば、次のような作用および効果が得られる。
光沢層３３を備えるため、美観が高められる。
【００２１】
(実施例)
本願発明者は実施例および比較例の試料を用いて、美容シート１の層構成とループステフネスとの関係を確認する試験を実施した。図７は試験の結果である。以下の説明では、説明の便宜上、比較例の試料における実施例の試料と共通する部分について同一の符号を付している。
【００２２】
実施例１の試料は実施形態に関する美容シート１である。保持層３１を構成する材料は合成繊維を含む不織布である。中間層３２を構成する材料は押出ポリエチレンである。光沢層３３を構成する材料はアルムニウム箔である。保護層３４を構成する材料はエポキシ樹脂および着色剤である。
【００２３】
実施例２の試料は図３に示される層構成を有する美容シート１である。実施例２の試料は保持層２３１、中間層２３２、光沢層２３３、および、保護層２３４が積層された４層構造を備える。保持層２３１を構成する材料は不織布である。中間層２３２を構成する材料は押出ポリエチレンである。光沢層２３３はアルミニウム蒸着層２３３Ａおよびポリエチレン層２３３Ｂを含む。保護層２３４を構成する材料はＥＭＭＡおよび着色剤である。
【００２４】
実施例３の試料は図４に示される層構成を有する美容シート１である。実施例３の試料は保持層３３１、中間層３３２、光沢層３３３、および、保護層３３４が積層された４層構造を備える。保持層３３１を構成する材料は不織布である。中間層３３２を構成する材料は接着剤である。光沢層３３３はスズ蒸着層３３３Ａおよびポリエチレンテレフタレート層３３３Ｂである。保護層３３４を構成する材料はエポキシ樹脂および着色剤である。
【００２５】
実施例４の試料は図５に示される層構成を有する美容シート１である。実施例４の試料は保持層４３１、中間層４３２、光沢層４３３、および、保護層４３４が積層された４層構造を備える。保持層４３１を構成する材料は不織布である。中間層４３２を構成する材料は押出ポリエチレンである。光沢層４３３は銀インキ層４３３Ａおよびポリエチレンテレフタレート層４３３Ｂを含む。保護層４３４を構成する材料はＥＭＭＡおよび着色剤である。
【００２６】
実施例５の試料は図６に示される層構成を有する美容シート１である。実施例５の試料は保持層５３１、中間層５３２、光沢層５３３、および、保護層５３４が積層された４層構造を備える。保持層５３１を構成する材料は不織布である。中間層５３２を構成する材料は押出ポリエチレンである。光沢層５３３を構成する材料はアルムニウム箔である。保護層５３４を構成する材料は押出ポリエチレンである。比較例の試料は保持層３１のみによって構成される。保持層３１の一例は不織布である。
【００２７】
試験では、実施例１〜５、および、比較例の試料のＭＤ(Machine Direction)方向およびＴＤ(Transverse Direction)方向のループステフネスを株式会社東洋精機製作所製のループステフネステスタ(登録商標)を用いて測定した。図７に示されるように、実施例１〜４の試料はループステフネスが比較的低いことが確認された。このため、実施例１〜４の試料に関する美容シート１がユーザの肌に貼り付けられたときに、ごわつきにくい。また、実施例１〜４の試料は光沢層、および、着色剤を含む保護層を備えるため、美観が非常に高いことが確認された。実施例５の試料はループステフネスが若干高い。このため、実施例５に関する美容シート１がユーザの肌に貼り付けられたときに、若干ごわつく。また、実施例５の試料は光沢層を備えるため、美観が高いことが確認された。比較例の試料は保持層のみを備えるため、ループステフネスが極めて低いことが確認された。また、比較例の試料は光沢層、および、着色剤を含む保護層のいずれの層も有さないため、美観が極めて低いことが確認された。
【００２８】
(変形例)
なお、上記実施形態は本発明に関する美容シートが取り得る形態の例示であり、その形態を制限することを意図していない。本発明に関する美容シートは実施形態に例示された形態とは異なる形態を取り得る。その一例は、実施形態の構成の一部を置換、変更、もしくは、省略した形態、または、実施形態に新たな構成を付加した形態である。以下に実施形態の変形例の一例を示す。
【００２９】
・美容シート１の層構成は任意に変更できる。第１変形例の美容シート１は保持層３１、中間層３２、および、光沢層３３が積層された３層構造を備える。すなわち、変形例の美容シート１は保護層３４を備えていない。第２変形例の美容シート１は接着剤を含む中間層３２を備える。すなわち、第２変形例の美容シート１は保持層３１と光沢層３３とが接着剤によって接合される。
【符号の説明】
【００３０】
１    ：美容シート
３１  ：保持層
３３  ：光沢層
３４  ：保護層
２３１：保持層
２３３：光沢層
２３４：保護層
３３１：保持層
３３３：光沢層
３３４：保護層
４３１：保持層
４３３：光沢層
４３４：保護層
５３１：保持層
５３３：光沢層
５３４：保護層
【図１】
2020010827.tif 000003
【図２】
2020010827.tif 000004
【図３】
2020010827.tif 000005
【図４】
2020010827.tif 000006
【図５】
2020010827.tif 000007
【図６】
2020010827.tif 000008
【図７】
2020010827.tif 000009